(57)【要約】【課題】転がり軸受に発生する可能性のある潤滑異常を早期に検出でき、検出精度を高める。【解決手段】転がり軸受の診断方法は、次のとおりである。回転する転がり軸受３０の振動をセンサ１１が計測して当該振動に応じた信号を出力する。前記信号に基づく波形データをフーリエ変換して周波数毎のレベルを示す第一データを生成すると共に、当該波形データをケプストラム演算してケフレンシ毎のレベルを示す第二データを生成する処理を、所定時間毎に繰り返して行う。前記第一データ及び前記第二データが生成される毎に、当該第一データにおける前記レベルの第一ピーク値、及び、当該第二データにおける前記レベルの第二ピーク値を、それぞれの閾値と比較する。前記第一ピーク値と前記第二ピーク値とのうちの少なくとも一方がそれぞれの前記閾値を超えると、異常判定信号を生成する。【選択図】      図１
2019203753.tif 000002
【特許請求の範囲】
【請求項１】
回転する転がり軸受の振動をセンサが計測して当該振動に応じた信号を出力し、
前記信号に基づく波形データをフーリエ変換して周波数毎のレベルを示す第一データを生成すると共に、当該波形データをケプストラム演算してケフレンシ毎のレベルを示す第二データを生成する処理を、所定時間毎に繰り返して行い、
前記第一データ及び前記第二データが生成される毎に、当該第一データにおける前記レベルの第一ピーク値、及び、当該第二データにおける前記レベルの第二ピーク値を、それぞれの閾値と比較し、
前記第一ピーク値と前記第二ピーク値とのうちの少なくとも一方がそれぞれの前記閾値を超えると、異常判定信号を生成する、転がり軸受の診断方法。
【請求項２】
前記第一データのうちの一部である所定周波数帯に含まれる周波数毎のレベルが、前記閾値との比較の対象であり、
前記第二データのうちの一部である所定ケフレンシ帯に含まれるケフレンシ毎のレベルが、前記閾値との比較の対象である、請求項１に記載の転がり軸受の診断方法。
【請求項３】
前記所定周波数帯を設定するための予備試験が予め行われ、
前記予備試験では、
前記転がり軸受の回転初期に前記センサから出力された信号に基づき波形データを生成し、当該波形データをフーリエ変換して周波数毎のレベルを示す第一基礎データを生成し、
前記回転初期から所定時間経過後に前記センサから出力された信号に基づき波形データを生成し、当該波形データをフーリエ変換して周波数毎のレベルを示す第一比較対象データを生成し、
前記第一基礎データを基準として前記第一比較対象データ中で前記レベルが大きく変化したか否かを判定し、大きく変化したと判定された場合に、当該第一比較対象データからピーク値を有する特定周波数を抽出し、当該特定周波数を含む所定範囲を前記所定周波数帯として設定する、請求項２に記載の転がり軸受の診断方法。
【請求項４】
前記所定ケフレンシ帯を設定するための予備試験が予め行われ、
前記予備試験では、
前記転がり軸受の回転初期に前記センサから出力された信号に基づき波形データを生成し、当該波形データをケプストラム演算してケフレンシ毎のレベルを示す第二基礎データを生成し、
前記回転初期から所定時間経過後に前記センサから出力された信号に基づき波形データを生成し、当該波形データをケプストラム演算してケフレンシ毎のレベルを示す第二比較対象データを生成し、
前記第二基礎データを基準として前記第二比較対象データ中で前記レベルが大きく変化したか否かを判定し、大きく変化したと判定された場合に、当該第二比較対象データからピーク値を有する特定ケフレンシを抽出し、当該特定ケフレンシを含む所定範囲を前記所定ケフレンシ帯として設定する、請求項２又は３に記載の転がり軸受の診断方法。
【請求項５】
前記転がり軸受は、当該転がり軸受の転動体を保持する保持器が固定輪によってガイドされる形式の軸受であり、
前記所定ケフレンシ帯を設定するための予備演算が予め行われ、
前記予備演算では、前記保持器の回転周波数を推定し、
当該回転周波数に相当する値を含む所定範囲を前記所定ケフレンシ帯として設定する、請求項２に記載の転がり軸受の診断方法。
【請求項６】
第一時間帯において前記センサからの信号を取得して前記波形データを取得し、
前記第一時間帯の後の第二時間帯に、前記波形データについてフーリエ変換とケプストラム演算とのうちの少なくとも一方を行って前記第一データと前記第二データとのうちの少なくとも一方を生成し、前記閾値との比較を行ない、
前記第二時間帯と重なる時間帯に、前記センサから信号を取得して前記波形データを取得する、請求項１〜５のいずれか一項に記載の転がり軸受の診断方法。
【請求項７】
転がり軸受の振動を計測して当該振動に応じた信号を出力するセンサと、
前記信号に基づく波形データをフーリエ変換して周波数毎のレベルを示す第一データを生成すると共に、当該波形データをケプストラム演算してケフレンシ毎のレベルを示す第二データを生成する処理を、所定時間毎に繰り返して行なう演算処理部と、
前記第一データ及び前記第二データが生成される毎に、当該第一データにおける前記レベルの第一ピーク値、及び、当該第二データにおける前記レベルの第二ピーク値を、それぞれの閾値と比較し、当該第一ピーク値と当該第二ピーク値とのうちの少なくとも一方がそれぞれの前記閾値を超えると、異常判定信号を生成する、比較処理部と、
を備える、転がり軸受の診断装置。
【発明の詳細な説明】
【技術分野】
【０００１】
本発明は、転がり軸受の診断方法、及び転がり軸受の診断装置に関する。
【背景技術】
【０００２】
転がり軸受は、外輪、内輪、これら外輪と内輪との間に設けられた複数の転動体、及び複数の転動体を保持する保持器を備える。転がり軸受では、構成部材同士の接触による振動発生、更には、過度の昇温及び転動体の焼付き等の不具合発生を防止するために、潤滑油が与えられる。回転が継続すると潤滑油が消費され、やがて潤滑油が不足し、転がり軸受に振動が発生しやすくなる。例えば、潤滑油が充分であり転がり軸受の構成部材間に適切な油膜が形成されている間は、振動が発生し難いが、潤滑油が不足して油膜が途切れると、振動が発生する。
【０００３】
前記のような不具合発生を防ぐために、転がり軸受等の振動をセンサによって検知する方法が知られている。従来、加速度センサから出力される実効値を監視し、実効値の振幅に著しい変化が現れると潤滑油を追加する。これにより、正常な潤滑状態に復帰させる。なお、特許文献１には、センサの計測結果を解析して診断を行なう方法が開示されている。
【先行技術文献】
【特許文献】
【０００４】
【特許文献１】特開平８−２６１８１７号公報
【発明の概要】
【発明が解決しようとする課題】
【０００５】
前記のとおりセンサの実効値に基づいて潤滑油を追加しても、正常な潤滑状態に迅速に復帰させることができない場合がある。これは、例えば、センサの実効値の振幅に著しい変化が現れる前から、油膜切れが発生している場合があり、遅れて潤滑油を追加しても、すぐにはその油膜切れを解消できないことが理由の一つとして考えられる。また、特許文献１の方法を転がり軸受の診断に適用した場合、転がり軸受の構成部材の回転に伴う振動ノイズ等によって精度が低くなる。このように、従来の方法では、潤滑異常の検出が遅れる場合があり、また、検出精度が低いという問題点がある。
【０００６】
そこで、本発明は、転がり軸受に発生する可能性のある潤滑異常を早期に検出でき、検出精度を高めることを目的とする。
【課題を解決するための手段】
【０００７】
本発明の転がり軸受の診断方法は、回転する転がり軸受の振動をセンサが計測して当該振動に応じた信号を出力し、前記信号に基づく波形データをフーリエ変換して周波数毎のレベルを示す第一データを生成すると共に、当該波形データをケプストラム演算してケフレンシ毎のレベルを示す第二データを生成する処理を、所定時間毎に繰り返して行い、前記第一データ及び前記第二データが生成される毎に、当該第一データにおける前記レベルの第一ピーク値、及び、当該第二データにおける前記レベルの第二ピーク値を、それぞれの閾値と比較し、前記第一ピーク値と前記第二ピーク値とのうちの少なくとも一方がそれぞれの前記閾値を超えると、異常判定信号を生成する。
【０００８】
この診断方法によれば、フーリエ変換を用いた解析と、ケプストラム演算を用いた解析とが併用されることで、転がり軸受に発生する可能性のある潤滑異常を早期に検出でき、検出精度を高めることができる。
【０００９】
また、前記診断方法では、前記第一データのうちの一部である所定周波数帯に含まれる周波数毎のレベルが、前記閾値との比較の対象であり、前記第二データのうちの一部である所定ケフレンシ帯に含まれるケフレンシ毎のレベルが、前記閾値との比較の対象であるのが好ましい。この場合、第一データ及び第二データそれぞれにおいて、無駄な範囲が比較の対象とならないため、処理の速度をより一層早めることが可能となる。
【００１０】
また、前記診断方法では、前記所定周波数帯を設定するための予備試験が予め行われ、前記予備試験では、前記転がり軸受の回転初期に前記センサから出力された信号に基づき波形データを生成し、当該波形データをフーリエ変換して周波数毎のレベルを示す第一基礎データを生成し、前記回転初期から所定時間経過後に前記センサから出力された信号に基づき波形データを生成し、当該波形データをフーリエ変換して周波数毎のレベルを示す第一比較対象データを生成し、前記第一基礎データを基準として前記第一比較対象データ中で前記レベルが大きく変化したか否かを判定し、大きく変化したと判定された場合に、当該第一比較対象データからピーク値を有する特定周波数を抽出し、当該特定周波数を含む所定範囲を前記所定周波数帯として設定するのが好ましい。このように予備試験を予め行なうことで、その後の転がり軸受の診断方法を精度良く行なうことが可能となる。
【００１１】
また、前記診断方法では、前記所定ケフレンシ帯を設定するための予備試験が予め行われ、前記予備試験では、前記転がり軸受の回転初期に前記センサから出力された信号に基づき波形データを生成し、当該波形データをケプストラム演算してケフレンシ毎のレベルを示す第二基礎データを生成し、前記回転初期から所定時間経過後に前記センサから出力された信号に基づき波形データを生成し、当該波形データをケプストラム演算してケフレンシ毎のレベルを示す第二比較対象データを生成し、前記第二基礎データを基準として前記第二比較対象データ中で前記レベルが大きく変化したか否かを判定し、大きく変化したと判定された場合に、当該第二比較対象データからピーク値を有する特定ケフレンシを抽出し、当該特定ケフレンシを含む所定範囲を前記所定ケフレンシ帯として設定する方法とすることができる。このように予備試験を予め行なうことで、その後の転がり軸受の診断方法を精度良く行なうことが可能となる。
【００１２】
または、前記転がり軸受は、当該転がり軸受の転動体を保持する保持器が固定輪によってガイドされる形式の軸受であり、前記所定ケフレンシ帯を設定するための予備演算が予め行われ、前記予備演算では、前記保持器の回転周波数を推定し、当該回転周波数に相当する値を含む所定範囲を前記所定ケフレンシ帯として設定する方法とすることができる。この場合、前記第一データのうちの一部である所定周波数帯については前記予備試験の結果に基づいて設定され、前記第二データのうちの一部である所定ケフレンシ帯については、予備試験ではなく、予備演算の結果に基づいて設定される。つまり、所定ケフレンシ帯の設定のための予備試験を不要とすることが可能となる。
【００１３】
また、前記診断方法では、第一時間帯において前記センサからの信号を取得して前記波形データを取得し、前記第一時間帯の後の第二時間帯に、前記波形データについてフーリエ変換とケプストラム演算とのうちの少なくとも一方を行って前記第一データと前記第二データとのうちの少なくとも一方を生成し、前記閾値との比較を行ない、前記第二時間帯と重なる時間帯に、前記センサから信号を取得して前記波形データを取得するのが好ましい。この方法によれば、フーリエ変換とケプストラム演算とのうちの一方の演算、及び閾値との比較を行なう第二時間帯に、別の波形データをセンサからの信号に基づいて取得することができる。このため、例えば、第二時間帯において転がり軸受に潤滑異常が発生して振動が大きくなっている場合に、その異常発生を取り逃がす（見過ごす）のを防ぐことが可能となる。
【００１４】
また、本発明の転がり軸受の診断装置は、転がり軸受の振動を計測して当該振動に応じた信号を出力するセンサと、前記信号に基づく波形データをフーリエ変換して周波数毎のレベルを示す第一データを生成すると共に、当該波形データをケプストラム演算してケフレンシ毎のレベルを示す第二データを生成する処理を、所定時間毎に繰り返して行なう演算処理部と、前記第一データ及び前記第二データが生成される毎に、当該第一データにおける前記レベルの第一ピーク値、及び、当該第二データにおける前記レベルの第二ピーク値を、それぞれの閾値と比較し、当該第一ピーク値と当該第二ピーク値とのうちの少なくとも一方がそれぞれの前記閾値を超えると、異常判定信号を生成する、比較処理部と、を備える。
【００１５】
この診断装置によれば、フーリエ変換を用いた解析と、ケプストラム演算を用いた解析とが併用されることで、転がり軸受に発生する可能性のある潤滑異常を早期に検出でき、検出精度を高めることができる。
【発明の効果】
【００１６】
本発明によれば、転がり軸受に発生する可能性のある潤滑異常を早期に検出でき、検出精度を高めることができる。この結果、潤滑異常が検出されると（異常判定信号が生成されると）、例えば潤滑油の追加供給を行なうことで潤滑異常を解消し、軸受寿命を延ばすことが可能となる。
【図面の簡単な説明】
【００１７】
【図１】本発明の診断装置の一例を示す概略構成図である。
【図２】回転初期に得られた波形データの説明図である。
【図３】第一データの一例を示す説明図である。
【図４】第二データの一例を示す説明図である。
【図５】回転初期から所定時間経過後に得られた波形データの説明図である。
【図６】第一データの一例を示す説明図である。
【図７】第二データの一例を示す説明図である。
【図８】診断方法を示すフロー図である。
【図９】転がり軸受の回転初期から時間経過毎に得られた波形データに基づいて算出された第一ピーク値及び第二ピーク値の推移を示す説明図である。
【図１０】診断方法の第一の形態の説明図である。
【図１１】診断方法の第二の形態の説明図である。
【図１２】予備試験のフロー図である。
【図１３】予備試験のフロー図である。
【発明を実施するための形態】
【００１８】
〔全体構成について〕
図１は本発明の診断装置の一例を示す概略構成図である。診断装置１０は、転がり軸受３０における異常を検出する。このために、診断装置１０は、センサ１１と、センサ１１からの信号に基づいて各種演算処理を含む制御を行なう制御ユニット１２とを備える。本実施形態では、転がり軸受３０と診断装置１０とが一体となって軸受装置７が構成される。軸受装置７は、更に潤滑油を吐出するポンプ１４及びこの吐出のための潤滑油を溜めるタンク１５を含む給油ユニット１３を備える。制御ユニット１２は、ポンプ１４に指令信号を出力する機能を更に有する。ポンプ１４は前記指令信号に基づいて潤滑油を転がり軸受３０に向かって吐出する（噴射する）。診断装置１０及び給油ユニット１３は、転がり軸受３０の軸方向隣に設けられる間座１６に設置される。
【００１９】
転がり軸受３０は、外輪３１、内輪３２、これら外輪３１と内輪３２との間に設けられている複数の転動体３３、複数の転動体３３を保持する環状の保持器３４を備える。図１に示される形態では、転動体３３が玉であり、転がり軸受３０は玉軸受である。なお、転動体３３は、玉以外に円筒ころや円すいころ等であってもよい。本実施形態では、内輪３２が図外の軸と共に回転する回転輪である。保持器３４は複数の転動体３３を周方向に間隔をあけて保持する。保持器３４が有する円環状の環状部３５の外周面３５ａは、外輪３１の内周面の一部に滑り接触する。これにより、保持器３４の回転は固定輪となる外輪３１によってガイドされる。
【００２０】
〔診断装置１０について〕
診断装置１０は、前記のとおりセンサ１１と制御ユニット１２とを備える。センサ１１は、例えば加速度センサ（圧電型加速度ピックアップ）であり、外輪３１の振動を計測し、振動の大きさに応じた信号を出力する。前記のとおりセンサ１１が間座１６に設置されることから、センサ１１は間座１６を通じて外輪３１の振動を計測する。センサ１１は、転がり軸受３０（外輪３１）の振動を計測してこの振動に応じた信号を制御ユニット１２に出力する。
【００２１】
制御ユニット１２は、メモリ等を含むマイコンによって構成される。制御ユニット１２は、マイコンが保存するコンピュータプログラムにしたがって、各種演算処理を行なう機能及びポンプ１４を制御する機能を有する。これらの機能を有する機能部として、制御ユニット１２は、演算処理部２１、比較処理部２２、及び給油制御部２３を有する。なお、制御ユニット１２は、転がり軸受３０と別に設けられてもよく、この場合、制御ユニット１２はコンピュータによって構成されてもよい。
【００２２】
演算処理部２１は、センサ１１からの信号に基づいて波形データを取得する。図２には、転がり軸受３０が回転を開始し始めた回転初期に得られた波形データＤ１が示されている。波形データＤ１は、センサ１１からの出力の加速度波形の時間変化を示すデータ（時間波形のデータ）である。演算処理部２１は、波形データＤ１をフーリエ変換（高速フーリエ変換）する機能、及び波形データＤ１をケプストラム演算する機能を有する。フーリエ変換は、波形データＤ１をスペクトル解析する処理である。演算処理部２１は、波形データＤ１をフーリエ変換することで、周波数毎のレベル（スペクトルのレベル）を示す第一データＤ１１を生成する。第一データＤ１１の一例が図３に示される。ケプストラム演算は、波形データＤ１（図２参照）をフーリエ変換してパワースペクトルを求め、その対数データを再度フーリエ変換する処理である。演算処理部２１は、波形データＤ１をケプストラム演算することで、ケフレンシ毎のレベル（ケプストラムのレベル）を示す第二データＤ１２を生成する。第二データＤ１２の一例が図４に示される。演算処理部２１は、前記のように、波形データＤ１を取得し、この波形データＤ１を各種演算して第一データＤ１１及び第二データＤ１２を生成する処理を、所定のサンプリング周波数で、所定時間毎に繰り返して行なう。
【００２３】
前記処理が繰り返し実行され、回転初期から所定時間経過後（例えば３時間経過後）に得られた波形データＤ２が、図５に示される。演算処理部２１は、この波形データＤ２をフーリエ変換して周波数毎のレベルを示す第一データＤ２１を生成する。この第一データＤ２１の一例が図６に示される。また、演算処理部２１は、前記波形データＤ２をケプストラム演算してケフレンシ毎のレベルを示す第二データＤ２２を生成する。第二データＤ２２が図７に示される。
【００２４】
比較処理部２２は、第一データＤ１１（Ｄ２１）が生成される毎に、この第一データＤ１１（Ｄ２１）におけるスペクトルのレベルの第一ピーク値を、第一閾値Ａ１と比較する機能を有する。例えば、図６に示される第一データＤ２１の場合、周波数ｆ３にスペクトルのピークが生じていることから、このピークの値が第一ピーク値Ｌ１に設定され、この第一ピーク値Ｌ１が第一閾値Ａ１と比較される。また、比較処理部２２は、第二データＤ１２（Ｄ２２）が生成される毎に、この第二データＤ１２（Ｄ２２）におけるケプストラムのレベルの第二ピーク値を、第二閾値Ａ２と比較する機能を有する。例えば、図７に示される第二データＤ２２の場合、ケフレンシｑ３にケプストラムのピークが生じていることから、このピークの値が第二ピーク値Ｌ２に設定され、この第二ピーク値Ｌ２が第二閾値Ａ２と比較される。比較処理部２２は、更に、異常判定信号を生成する機能を有する。異常判定信号の生成条件は、前記比較の結果、第一ピーク値Ｌ１と第二ピーク値Ｌ２とのうちの少なくとも一方が、それぞれの閾値（Ａ１，Ａ２）を超えている場合である。比較処理部２２が行なう処理については、後の診断方法においても説明する。
【００２５】
給油制御部２３は、ポンプ１４が行なう潤滑油の吐出動作を制御する。具体的に説明すると、比較処理部２２が前記異常判定信号を生成すると、給油制御部２３は、指令信号をポンプ１４に出力する。すると、ポンプ１４は潤滑油を吐出する。
【００２６】
〔診断方法について〕
前記構成を備えた診断装置１０によって行われる転がり軸受３０の診断方法について説明する。図８は、診断方法を示すフロー図である。回転する転がり軸受３０の振動がセンサ１１によって常時計測される（図８のステップＳ１）。演算処理部２１は、センサ１１の出力信号に基づく波形データを取得する（ステップＳ２）。例えば、図５において、波形データＤ２は、時刻ｔ１０１から時刻ｔ１０２までの所定時間のデータである。波形データＤ２が取得されると、演算処理部２１は、この波形データＤ２をフーリエ変換し（ステップＳ３）、周波数毎のレベルを示す第一データＤ２１（図６参照）を生成する（ステップＳ４）。
【００２７】
すると、演算処理部２１は、第一データＤ２１中の所定周波数帯に含まれる周波数毎のレベルの中から、レベルの最も高いピーク値を有する周波数を抽出する（図８のステップＳ５）。前記「所定周波数帯」は、後述する予備試験によって設定される。この予備試験については後で説明する。本実施形態では、図６において、周波数ｆ２からｆ４までの範囲の周波数帯に含まれるデータの中から、レベルの最も高いピーク値（第一ピーク値）Ｌ１を有する周波数ｆ３が抽出される。周波数ｆ２からｆ４までの範囲について一例を挙げると、この範囲の中央値は約４０ｋＨｚであり、この中央値のプラスマイナス５〜２０％の範囲を、前記所定周波数帯とすることができる。
【００２８】
また、演算処理部２１は、取得された波形データＤ２（図８のステップＳ２）を、ケプストラム演算し（ステップＳ６）、ケフレンシ毎のレベルを示す第二データＤ２２（図７参照）を生成する（ステップＳ７）。
【００２９】
すると、演算処理部２１は、第二データＤ２２中の所定ケフレンシ帯に含まれるケフレンシ毎のレベルの中から、レベルの最も高いピーク値を有するケフレンシを抽出する（図８のステップＳ８）。前記「所定ケフレンシ帯」は、後述する予備試験又は予備演算によって設定される。この予備試験及び予備演算については後で説明する。本実施形態では、図７において、ケフレンシｑ２からｑ４までの範囲のケフレンシ帯に含まれるデータの中から、レベルの最も高いピーク値（第二ピーク値）Ｌ２を有するケフレンシｑ３が抽出される。ケフレンシｑ２からｑ４までの範囲について一例を挙げると、この範囲の中央値は約１５０Ｈｚであり、この中央値のプラスマイナス５〜２０％の範囲を、前記所定ケフレンシ帯とすることができる。
【００３０】
図８のステップＳ９では、ステップＳ５で抽出された第一ピーク値Ｌ１が第一閾値Ａ１と比較され、ステップＳ８で抽出された第二ピーク値Ｌ２が第二閾値Ａ２と比較される。このステップＳ９の処理は、比較処理部２２（図１参照）によって実行される。第一閾値Ａ１及び第二閾値Ａ２は予め設定された値である。前記比較の結果、次の「条件１」と「条件２」とのうちの少なくとも一方が満たされる場合（図８のステップＳ９でＹｅｓの場合）、比較処理部２２は異常判定信号を生成する。
・条件１：第一ピーク値Ｌ１＞第一閾値Ａ１
・条件２：第二ピーク値Ｌ２＞第二閾値Ａ２
【００３１】
異常判定信号が生成されると、給油制御部２３（図１参照）はポンプ１４を動作させる指令信号を出力する。すると、ポンプ１４は潤滑油を転がり軸受３０に供給する。これに対して、比較の結果、前記「条件１」及び「条件２」の双方が満たされていない場合（図８のステップＳ９でＮｏの場合）、前記診断方法のステップＳ１からステップＳ９が継続して実行される。
【００３２】
図９は、転がり軸受３０の回転初期から時間経過毎に得られた前記波形データに基づいて算出された第一ピーク値Ｌ１及び第二ピーク値Ｌ２の推移（時系列変化）を示す説明図である。回転初期の時刻ｔ１から第一の所定時間経過後の時刻ｔ１００くらいで、第二ピーク値Ｌ２が第二閾値Ａ２を超える。回転初期の時刻ｔ１から第二の所定時間経過後の時刻ｔ１５０くらいで、第一ピーク値Ｌ１が第一閾値Ａ１を超える。本実施形態の場合、第二ピーク値Ｌ２が、第一ピーク値Ｌ１よりも先に閾値（Ａ２）を超え、異常判定信号が生成される。
【００３３】
〔診断方法の二つの形態〕
図１０は、図８に示される前記診断方法の第一の形態の説明図である。この第一の形態では、前記のとおり、センサ１１による振動計測がされ（図８のステップＳ１）、波形データが取得されると（ステップＳ２）、この波形データの解析としてフーリエ変換及びケプストラム演算が行われ第一データ及び第二データが生成される（ステップＳ３−Ｓ５、Ｓ６−Ｓ８）。この解析により、前記条件１と条件２とのうちの少なくとも一方が満たされている場合、異常判定信号が生成され（ステップＳ９、Ｓ１０）、潤滑油が供給される（ステップＳ１１）。図１０に示されるように、時系列のデータである前記波形データを生成するために、センサ１１からの信号を取得する時間帯がＴ１（第一時間帯Ｔ１、例えば１０秒間）である。この第一時間帯Ｔ１の後の第二時間帯Ｔ２において、生成された波形データの解析が実行される。解析の結果、つまり、前記条件１及び前記条件２を用いた判定の結果、異常判定信号が生成されない場合、第二時間帯Ｔ２の後の第三時間帯Ｔ３において、再び、時系列のデータである波形データを生成するために、センサ１１からの信号が取得される。
【００３４】
図１１は、図８に示される前記診断方法の第二の形態の説明図である。この第二の形態では、第一の系統にて、前記のとおり、センサ１１による振動計測がされ（図８のステップＳ１）、波形データが取得されると（ステップＳ２）、この波形データの解析としてフーリエ変換及びケプストラム演算が行われ第一データ及び第二データが生成される（ステップＳ３−Ｓ５、Ｓ６−Ｓ８）。図１１に示されるように、時系列のデータである前記波形データを生成するために、センサ１１からの信号を取得する時間帯がＴ１（第一時間帯Ｔ１）である。この第一時間帯Ｔ１の後の第二時間帯Ｔ２において、生成された波形データの解析が実行される。以上の点では、前記第一の形態と同じである。第二の形態では、第二の系統にて、第二時間帯Ｔ２において、第一時間帯Ｔ１で取得した波形データ（第一波形データ）の次の時系列のデータである波形データ（第二波形データ）を生成するために、センサ１１からの信号を取得する。つまり、第二時間帯Ｔ２では、波形データの解析と、波形データの生成のためのセンサ１１からの信号の取得とが、並行する（同時演算処理）。そして、第二時間帯Ｔ２の後の第三時間帯Ｔ３において、第二の系統では、波形データの解析として、第二時間帯Ｔ２で取得された第二波形データについてフーリエ変換及びケプストラム演算が行われ第一データ及び第二データが生成される。また、第一の系統では、第三時間帯Ｔ３にて、第一の形態と同様、更に後の波形データ（第三波形データ）を生成するために、センサ１１からの信号が取得される。そして、各解析により、前記条件１と条件２とのうちの少なくとも一方が満たされている場合、異常判定信号が生成され、潤滑油が供給される。
【００３５】
図１０に示される第一の形態では、波形データの取得と波形データの解析とが交互に実行される（一系統の診断方法）。これに対して、図１１に示される第二の形態では、波形データの取得と波形データの解析とが交互に実行される診断方法が、二系統で行われる。つまり、第二の形態では、第一の系統の波形データの取得と並行して、第二の系統の波形データの解析が実行され、第一の系統の波形データの解析と並行して、第二の系統の波形データの取得が実行される。なお、図１１では、第一の系統と第二の系統との間で、振動波形取得と波形解析とが同じ時間であるように記載されているが、波形解析に要する時間は振動波形取得の時間と異なっていてもよい。よって、例えば、振動波形取得の時間中に、波形解析が開始され終了されていればよい。
【００３６】
〔予備試験について（所定周波数帯の設定）〕
フーリエ変換により得られた第一データＤ２１（図６参照）の中から第一ピーク値Ｌ１を抽出する際（図８のステップＳ５）、前記のとおり第一データＤ２１のうちの一部である「所定周波数帯（ｆ２〜ｆ４）」が抽出範囲の対象とされる。この所定周波数帯（ｆ２〜ｆ４）を設定するために、前記診断方法の前に予備試験が予め行われる。図１２は、この予備試験のフロー図である。
【００３７】
予備試験では、転がり軸受３０の回転初期にセンサ１１から出力された信号に基づき波形データを生成する（図１２のステップＳ５１）。この波形データは、図２に示される波形データＤ１と同様となる。この波形データをフーリエ変換して周波数毎のレベルを示す第一基礎データを生成する（ステップＳ５２）。この第一基礎データは、図３に示される第一データＤ１１と同様となる。回転初期では、転がり軸受３０において潤滑油が充分に存在し、油膜切れ（潤滑異常）は発生していない。
【００３８】
前記回転初期から所定時間経過後にセンサ１１から出力された信号に基づき波形データを生成する（ステップＳ５３）。ここで、生成された波形データは、図５に示される波形データＤ２と同様になったとする。この波形データをフーリエ変換して周波数毎のレベルを示す第一比較対象データを生成する（ステップＳ５４）。この第一比較対象データは、図６に示される第一データＤ２１と同様となる。この所定時間経過後では、転がり軸受３０において潤滑油が消費され、油膜切れが発生する可能性が高い。なお、前記各波形データ、第一基礎データ、及び第一比較対象データの生成は、演算処理部２１によって行われる。
【００３９】
第一基礎データ（図３参照）を基準として、第一比較対象データ（図６参照）中でスペクトルのレベルが大きく変化したか否かが判定される（ステップＳ５５）。例えば、第一比較対象データ（図６参照）中のスペクトルのレベルが、第一基礎データ（図３参照）中のスペクトルのレベルと比較して、閾値を超えて大きく変化したか否かの判定が行われる。なお、このスペクトルのレベルの比較は、同じ周波数帯において行われる。結果、大きく変化したと判定された場合に（ステップＳ５５でＹｅｓの場合）、第一比較対象データ（図６参照）からピーク値を有する特定周波数を抽出する（ステップＳ５６）。本実施形態では、周波数ｆ３が特定周波数として抽出される。この特定周波数（ｆ３）を含む所定範囲が、前記「所定周波数帯（ｆ２〜ｆ４）」として設定される（ステップＳ５７）。例えば、特定周波数（ｆ３）のプラスマイナス２０％の範囲が、前記所定周波数帯（ｆ２〜ｆ４）として設定される。なお、ステップＳ５５〜Ｓ５７の処理は、比較処理部２２によって実行される。
【００４０】
〔予備試験について（所定ケフレンシ帯の設定）〕
ケプストラム演算により得られた第二データＤ２２（図７参照）の中から第二ピーク値Ｌ２を抽出する際（図８のステップＳ８）、前記のとおり第二データＤ２２のうちの一部である「所定ケフレンシ帯（ｑ２〜ｑ４）」が抽出範囲の対象とされる。この所定ケフレンシ帯（ｑ２〜ｑ４）を設定するために、前記診断方法の前に予備試験が予め行われる。図１３は、この予備試験のフロー図である。
【００４１】
予備試験では、転がり軸受３０の回転初期にセンサ１１から出力された信号に基づき波形データを生成する（図１３のステップＳ６１）。この波形データは、図２に示される波形データＤ１と同様となる。この波形データをケプストラム演算してケフレンシ毎のレベルを示す第二基礎データを生成する（ステップＳ６２）。この第二基礎データは、図４に示される第二データＤ１２と同様となる。この回転初期では、転がり軸受３０において潤滑油が充分に存在し、油膜切れ（潤滑異常）は発生していない。
【００４２】
前記回転初期から所定時間経過後にセンサ１１から出力された信号に基づき波形データを生成する（ステップＳ６３）。ここで、生成された波形データは、図５に示される波形データＤ２と同様になったとする。この波形データをケプストラム演算してケフレンシ毎のレベルを示す第二比較対象データを生成する（ステップＳ６４）。この第二比較対象データは、図７に示される第二データＤ２２と同様となる。この所定時間経過後では、転がり軸受３０において潤滑油が消費され、油膜切れが発生する可能性が高い。なお、前記各波形データ、第二基礎データ、及び第二比較対象データの生成は、演算処理部２１によって行われる。
【００４３】
前記第二基礎データ（図４参照）を基準として、この第二比較対象データ（図７参照）中でケプストラムのレベルが大きく変化したか否かが判定される（ステップＳ６５）。例えば、第二比較対象データ（図７参照）中のケプストラムのレベルが、第二基礎データ（図４参照）中のケプストラムのレベルと比較して、閾値を超えて大きく変化したか否かの判定が行われる。なお、このケプストラムのレベルの比較は、同じケフレンシ帯において行われる。結果、大きく変化したと判定された場合に（ステップＳ６５でＹｅｓの場合）、第二比較対象データ（図７参照）からピーク値を有する特定ケフレンシを抽出する（ステップＳ６６）。本実施形態では、ケフレンシｑ３が特定ケフレンシとして抽出される。この特定ケフレンシ（ｑ３）を含む所定範囲が、前記「所定ケフレンシ帯（ｑ２〜ｑ４）」として設定される（ステップＳ６７）。例えば、特定ケフレンシ（ｑ３）のプラスマイナス２０％の範囲が、前記所定ケフレンシ帯（ｑ２〜ｑ４）として設定される。なお、ステップＳ６５〜Ｓ６７の処理は、比較処理部２２によって実行される。
【００４４】
〔予備演算について（所定ケフレンシ帯の設定）〕
所定ケフレンシ帯（ｑ２〜ｑ４）の設定は、前記予備試験ではなく、次に説明する予備演算に基づいて行われてもよい。所定ケフレンシ帯（ｑ２〜ｑ４）を設定するために、前記診断方法の前に予備演算が予め行われる。
【００４５】
この予備演算では、転がり軸受３０（図１参照）の保持器３４の回転周波数（公転周波数：回転数）が演算によって推定される。本実施形態では、内輪３２が回転することから内輪３２の回転数に基づいて行われる。内輪３２の回転数は、一体に回転する図外の軸の回転数に基づく。軸の回転数は、この軸が含まれる機器の制御装置から取得することができる。又は、前記軸受装置７は、回転数を検出するためのセンサを備えていてもよく、このセンサによって内輪３２（又は保持器３４）の回転数が求められてもよい。そして、推定された保持器３４の回転周波数に相当する値を含む所定範囲が、前記所定ケフレンシ帯として設定される。
【００４６】
保持器３４の公転周波数は、内輪３２の回転速度、外輪３１の回転速度（本実施形態ではゼロ）、転動体３３の平均直径、転動体３３のピッチ円直径、内輪３２及び外輪３１に対する転動体３３の接触角に基づいて、従来知られている演算式によって求められる。
【００４７】
演算式によって保持器３４の公転周波数が求められると、その公転周波数の例えばプラスマイナス２０％の範囲が、前記所定ケフレンシ帯として設定される。
【００４８】
このように予備演算が採用される場合、第一データＤ２１（図６参照）のうちの一部である所定周波数帯（ｆ２〜ｆ４）については、図１２により説明した予備試験の結果に基づいて設定され、第二データＤ２２（図７参照）のうちの一部である所定ケフレンシ帯（ｑ２〜ｑ４）については、図１３により説明した予備試験ではなく、前記予備演算の結果に基づいて設定される。つまり、予備演算が採用される場合、予備試験は不要となる。
【００４９】
ここで、前記のように、予備演算により所定ケフレンシ帯（ｑ２〜ｑ４）の設定が可能となることは、本発明の発明者による鋭意研究の結果により見出された。すなわち、本実施形態の転がり軸受３０は（図１参照）、保持器３４が固定輪である外輪３１によってガイドされる形式である。このような転がり軸受３０の場合、潤滑異常による振動発生の原因の一つとして、固定輪となる外輪３１と保持器３４との接触が挙げられ、発明者はこの点に着目し、前記接触により、ケプストラム演算して得られる解析データのケフレンシにピーク値が生じることを見出した。すなわち、転がり軸受３０の回転が継続され、潤滑油が消費されると、保持器３４と外輪３１との間に形成される油膜が途切れることがある。この場合に、保持器３４が外輪３１に直接的に接触する。しかも、この接触は周期的な現象となる。そこで、保持器３４の公転周波数と、振動発生の周波数とが一致する場合があることに着目し、予備演算の結果により、ケプストラムにピークを有する所定ケフレンシ帯（ｑ２〜ｑ４）の設定が可能となることを見出した。
【００５０】
〔前記実施形態の診断方法について〕
以上より、本実施形態の診断方法は次のようにして実行される。すなわち、回転する転がり軸受３０の振動をセンサ１１が計測してこの振動に応じた信号を出力する（図８のステップＳ１）。制御ユニット１２は、前記信号に基づく波形データをフーリエ変換して周波数毎のレベルを示す第一データを生成すると共に（ステップＳ３〜Ｓ５）、前記波形データをケプストラム演算してケフレンシ毎のレベルを示す第二データを生成する（ステップＳ６〜Ｓ８）処理を、所定時間毎に繰り返して行う。制御ユニット１２は、前記第一データ及び前記第二データが生成される毎に、当該第一データにおけるレベルの第一ピーク値、及び、当該第二データにおけるレベルの第二ピーク値を、それぞれの閾値と比較する（ステップＳ９）。前記第一ピーク値と前記第二ピーク値とのうちの少なくとも一方がそれぞれの前記閾値を超えると、異常判定信号を生成する（ステップＳ１０）。この診断方法によれば、フーリエ変換を用いた解析と、ケプストラム演算を用いた解析とが併用されることで、転がり軸受３０に発生する可能性のある潤滑異常を早期に検出でき、検出精度を高めることができる。この結果、潤滑異常が検出されると（異常判定信号が生成されると）、給油ユニット１３及び給油制御部２３の機能によって、転がり軸受３０に対して潤滑油の追加供給が行われる。よって、潤滑異常が解消され、軸受寿命を延ばすことが可能となる。
【００５１】
また、本実施形態の診断方法では、図６に示されるように、第一データＤ２１のうちの一部である所定周波数帯（ｆ２〜ｆ４）に含まれる周波数毎のレベルが、第一閾値Ａ１との比較の対象である。また、図７に示されるように、第二データＤ２２のうちの一部である所定ケフレンシ帯（ｑ２〜ｑ４）に含まれるケフレンシ毎のレベルが、第二閾値Ａ２との比較の対象である。すなわち、第一データＤ２１の全てが第一閾値Ａ１との比較の対象ではなく、また、第二データＤ２２の全てが第二閾値Ａ２との比較の対象ではない。このため、第一データＤ２１及び第二データＤ２２それぞれにおいて、無駄な範囲が比較の対象とならないため、演算処理部２１による処理の速度をより一層早めることが可能となる。
【００５２】
また、本実施形態の診断方法では、図１１に示されるように、第一時間帯Ｔ１においてセンサ１１からの信号を取得して波形データが取得される。この第一時間帯Ｔ１の後の第二時間帯Ｔ２に、前記波形データについてフーリエ変換とケプストラム演算とのうちの少なくとも一方が行われ（本実施形態では双方が行われ）第一データと第二データとのうちの少なくとも一方が生成され（本実施形態では双方が生成され）閾値（Ａ１，Ａ２）との比較が行われる。この第二時間帯Ｔ２と重なる時間帯に、センサ１１から信号を取得して波形データが取得される。この方法によれば、フーリエ変換とケプストラム演算、及び閾値との比較を行なう第二時間帯Ｔ２に、別の波形データをセンサ１１からの信号に基づいて取得することができる。このため、仮に、第二時間帯Ｔ２において転がり軸受３０に潤滑異常が発生して振動が大きくなっている場合に、その異常発生を取り逃がす（見過ごす）のを防ぐことが可能となる。
【００５３】
今回開示した実施形態はすべての点で例示であって制限的なものではない。本発明の権利範囲は、上述の実施形態に限定されるものではなく、特許請求の範囲の範囲に記載された構成と均等の範囲内でのすべての変更が含まれる。
前記実施形態では（図１参照）センサ１１が、外輪３１側の間座１６に取り付けられた場合について説明したが、外輪３１に直接取り付けられていてもよい。
前記実施形態では（図１参照）転がり軸受３０に対する給油手段は、潤滑油を吐出する（噴出する）ポンプ１４による構成としたが、これ以外であってもよく、例えば、オイルエアの供給による構成であってもよい。
【符号の説明】
【００５４】
１０：診断装置          １１：センサ          ２１：演算処理部
２２：比較処理部        ３０：転がり軸受      ３１：外輪（固定輪）
３３：転動体            ３４：保持器          Ａ１：閾値
Ａ２：閾値              Ｄ１：波形データ      Ｄ２：波形データ
Ｄ１１：第一データ      Ｄ１２：第二データ    Ｄ２１：第一データ
Ｄ２２：第二データ      Ｌ１：ピーク値        Ｌ２：ピーク値
Ｔ１：第一時間帯        Ｔ２：第二時間帯      Ｔ３：第三時間帯
【図１】
2019203753.tif 000003
【図２】
2019203753.tif 000004
【図３】
2019203753.tif 000005
【図４】
2019203753.tif 000006
【図５】
2019203753.tif 000007
【図６】
2019203753.tif 000008
【図７】
2019203753.tif 000009
【図８】
2019203753.tif 000010
【図９】
2019203753.tif 000011
【図１０】
2019203753.tif 000012
【図１１】
2019203753.tif 000013
【図１２】
2019203753.tif 000014
【図１３】
2019203753.tif 000015